(57)【要約】【課題】ＨＲＰＤ／３ＧＰＰ  ＥＰＣネットワーク接続装置、システム及び方法を提供する。【解決手段】装置、システム及び方法は、ユーザ装置と、ＨＳＧＷを含むＨＲＰＤネットワークと、少なくとも１つのゲートウェイを含む３ＧＰＰ  ＥＰＣネットワークとを包含する。ユーザ装置は、３ＧＰＰ  ＥＰＣネットワークとの接続を確立する必要性を検出し、３ＧＰＰ  ＥＰＣネットワークに対応するＡＰＮ値を決定し、ＡＰＮ値を接続要求に含ませ、ＨＲＰＤネットワークのＨＲＰＤゲートウェイへ接続要求を通信するように構成される。ＨＲＰＤゲートウェイは、接続要求をユーザ装置から受信し、接続要求におけるＡＰＮ値に対応する３ＧＰＰ  ＥＰＣネットワークのＰＤＮゲートウェイを決定し、ユーザ装置と３ＧＰＰ  ＥＰＣネットワークとの間の接続を可能にするように構成される。【選択図】図４
2011523534.tif 000002
【特許請求の範囲】
【請求項１】
パケットコアネットワークとの接続を確立する必要性を検出するステップと、
パケットコアネットワークに対応するアクセスポイント名値を決定するステップと、
アクセスポイント名値を接続要求メッセージに含ませるステップと、
パケットコアネットワークとの接続を確立するために高レートパケットデータネットワークへ接続要求を通信するステップと、
を備えた方法。
【請求項２】
前記接続を確立する必要性を検出するステップは、ブロードキャストメッセージにおけるオペレータアイデンティティ、及び高レートパケットデータネットワーク又はパケットコアネットワークの容量の確認、の一方を含む選択された基準に基づく、請求項１に記載の方法。
【請求項３】
前記通信ステップは、高レートパケットデータネットワークの高レートパケットデータサービングゲートウェイへ接続要求メッセージを通信することを含み、前記ゲートウェイは、バインディングメッセージを送信する適切なパケットデータネットワークゲートウェイを決定するための移動アクセスゲートウェイファンクションを含む、請求項１又は２に記載の方法。
【請求項４】
前記接続は、ローカル移動アンカーファンクションを含み且つパケットコアネットワークに対応するパケットデータネットワークゲートウェイに対応する、請求項１から３のいずれか１項に記載の方法。
【請求項５】
前記接続は、ジェネリックルーティングエンキャプスレーション（ＧＲＥ）トンネル又はベアラ接続を含む、請求項１から４のいずれか１項に記載の方法。
【請求項６】
前記検出し、決定し、含ませ及び通信するステップは、ユーザ装置により遂行される、請求項１から５のいずれか１項に記載の方法。
【請求項７】
前記接続要求は、パケットデータネットワーク接続要求、又はベンダー特有ネットワークコントロールプロトコル（ＶＳＮＣＰ）コンフィギュレーション要求を含む、請求項１から６のいずれか１項に記載の方法。
【請求項８】
パケットコアネットワークとの接続を確立する必要性を検出するように構成された接続検出ユニットと、
パケットコアネットワークに対応するアクセスポイント名値を決定するように構成されたアクセスポイント名決定ユニットと、
接続要求メッセージにアクセスポイント名値を含ませるように構成された接続要求発生ユニットと、
パケットコアネットワークとの接続を確立するために高レートパケットデータネットワークへ接続要求を通信するように構成された高レートパケットデータネットワークインターフェイスユニットと、
を備えた装置。
【請求項９】
前記接続検出ユニットは、ブロードキャストメッセージにおけるオペレータアイデンティティ、及び高レートパケットデータネットワーク又はパケットコアネットワークの容量の確認、の一方を含む選択された基準に基づいて、接続を確立する必要性を検出するように構成される、請求項８に記載の装置。
【請求項１０】
前記高レートパケットデータインターフェイスユニットは、前記高レートパケットデータネットワークの高レートパケットデータサービングゲートウェイへ接続要求を通信するように構成される、請求項８又は９に記載の装置。
【請求項１１】
前記高レートパケットデータサービングゲートウェイは、バインディングメッセージを送信するパケットコアネットワークの適切なパケットデータネットワークゲートウェイを決定するように構成された移動アクセスゲートウェイファンクションを含む、請求項８から１０のいずれか１項に記載の装置。
【請求項１２】
前記パケットデータネットワークゲートウェイは、接続の確立を容易にするように構成されたローカル移動アンカーファンクションを含む、請求項８から１１のいずれか１項に記載の装置。
【請求項１３】
前記接続は、ジェネリックルーティングエンキャプスレーション（ＧＲＥ）トンネルを含む、請求項８から１２のいずれか１項に記載の装置。
【請求項１４】
前記装置は、ユーザ装置を含む、請求項８から１３のいずれか１項に記載の装置。
【請求項１５】
前記接続要求は、パケットデータネットワーク接続要求、又はベンダー特有ネットワークコントロールプロトコル（ＶＳＮＣＰ）コンフィギュレーション要求を含む、請求項８から１４のいずれか１項に記載の装置。
【請求項１６】
アクセスポイント名値を含む接続要求をユーザ装置から高レートパケットデータネットワークの高レートパケットデータネットワークゲートウェイにより受信するステップと、
接続要求におけるアクセスポイント名値に対応するパケットデータネットワークゲートウェイを決定するステップと、
パケットデータネットワークゲートウェイに対応してユーザ装置とパケットコアネットワークとの間の接続を可能にするステップと、
を備えた方法。
【請求項１７】
アクセスポイント名値に対応するパケットデータネットワークゲートウェイを決定する前記ステップは、移動アクセスゲートウェイファンクションを使用することを含む、請求項１６に記載の方法。
【請求項１８】
接続を可能にする前記ステップは、パケットデータネットワークゲートウェイへバインディングメッセージを送信することを含む、請求項１６又は１７に記載の方法。
【請求項１９】
接続を可能にする前記ステップは、ジェネリックルーティングエンキャプスレーション（ＧＲＥ）トンネルを可能にすることを含む、請求項１６から１８のいずれか１項に記載の方法。
【請求項２０】
前記接続要求は、パケットデータネットワーク接続要求、又はベンダー特有ネットワークコントロールプロトコル（ＶＳＮＣＰ）コンフィギュレーション要求を含む、請求項１６から１９のいずれか１項に記載の方法。
【請求項２１】
アクセスポイント名値を含む接続要求をユーザ装置から高レートパケットデータネットワークの高レートパケットデータネットワークゲートウェイで受信するように構成された接続要求受信ユニットと、
接続要求におけるアクセスポイント名値に対応するパケットデータネットワークゲートウェイを決定するように構成されたパケットデータネットワークゲートウェイ決定ユニットと、
パケットデータネットワークゲートウェイに対応してユーザ装置とパケットコアネットワークとの間の接続を可能にするように構成された接続可能化ユニットと、
を備えた装置。
【請求項２２】
前記パケットデータネットワークゲートウェイ決定ユニットは、移動アクセスゲートウェイファンクションを使用するように構成された、請求項２１に記載の装置。
【請求項２３】
前記接続可能化ユニットは、パケットデータネットワークゲートウェイへバインディングメッセージを送信するように構成される、請求項２１又は２２に記載の装置。
【請求項２４】
前記接続可能化ユニットは、ジェネリックルーティングエンキャプスレーション（ＧＲＥ）トンネルを可能にするように構成される、請求項２１ないし２３のいずれか１項に記載の装置。
【請求項２５】
前記接続要求は、パケットデータネットワーク接続要求、又はベンダー特有ネットワークコントロールプロトコル（ＶＳＮＣＰ）コンフィギュレーション要求を含む、請求項２１ないし２４のいずれか１項に記載の装置。
【請求項２６】
アクセスポイント名値を含む接続要求をユーザ装置から高レートパケットデータネットワークのネットワークノードにより受信するための受信手段と、
接続要求におけるアクセスポイント名値に対応するパケットデータネットワークゲートウェイを決定するための決定手段と、
パケットデータネットワークゲートウェイに対応してユーザ装置とパケットコアネットワークとの間の接続を可能にするための可能化手段と、
を備えた装置。
【請求項２７】
ユーザ装置と、
高レートパケットデータサービングゲートウェイを含む高レートパケットデータネットワークと、
少なくとも１つのパケットデータネットワークゲートウェイを含むパケットコアネットワークと、
を備え、前記ユーザ装置は、
パケットコアネットワークとの接続を確立する必要性を検出し、
パケットコアネットワークに対応するアクセスポイント名値を決定し、
アクセスポイント名値を接続要求メッセージに含ませ、
高レートパケットデータネットワークの高レートパケットデータネットワークゲートウェイへ接続要求を通信する、
ように構成され、更に、高レートパケットデータネットワークゲートウェイは、
接続要求をユーザ装置から受信し、
接続要求におけるアクセスポイント名値に対応するパケットコアネットワークのパケットデータネットワークゲートウェイを決定し、
ユーザ装置とパケットコアネットワークとの間の接続を可能にする、
ように構成された、システム。
【請求項２８】
コンピュータ読み取り可能な媒体上に実施されるコンピュータプログラムにおいて、
パケットコアネットワークとの接続を確立する必要性を検出し、
パケットコアネットワークに対応するアクセスポイント名値を決定し、
アクセスポイント名値を接続要求メッセージに含ませ、
高レートパケットデータネットワークへ接続要求を通信して、パケットコアネットワークとの接続を確立し、
アクセスポイント名値を含む接続要求をユーザ装置から高レートパケットデータネットワークの高レートパケットデータネットワークゲートウェイにより受信し、
接続要求におけるアクセスポイント名値に対応するパケットデータネットワークゲートウェイを決定し、
パケットデータネットワークゲートウェイに対応してユーザ装置とパケットコアネットワークとの間の接続を可能にする、
ことを含むオペレーションを遂行するようにプロセッサを制御するよう構成されたコンピュータプログラム。
【請求項２９】
コンピュータ読み取り可能な媒体上に実施されるコンピュータプログラム製品において、プログラムが処理装置で実行されるときに請求項１から７及び１６から２０のいずれか１つのステップを遂行するためのソフトウェアコード部分を備えたコンピュータプログラム製品。
【発明の詳細な説明】
【技術分野】
【０００１】
本発明は、一般に、通信システムに係る。より詳細には、本発明は、高レートパケットデータ（ＨＲＰＤ）ネットワークと第３世代パートナーシッププロジェクト（３ＧＰＰ）進化型パケットコア（ＥＰＣ）ネットワークとの間の接続を可能にするための装置、システム及び方法に係る。
【背景技術】
【０００２】
第３世代パートナーシッププロジェクト２（３ＧＰＰ２）とは、インターナショナルテレコミュニケーションユニオン（ＩＴＵ）インターナショナルモバイルテレコミュニケーションズ２０００（ＩＭＴ−２０００）プロジェクトの範囲内でグローバルに適用できる第３世代移動電話システムの仕様を制定するためのテレコミュニケーション連合間の共同作業である。実際に、３ＧＰＰ２は、初期の第２世代ＣＤＭＡ技術に基づく第３世代規格のセットであるコード分割多重アクセス（ＣＤＭＡ）２０００に対する標準化グループである。３ＧＰＰ２規格化は、高レートパケットデータ（ＨＲＰＤ）ネットワークを含む。
【０００３】
同様に、第３世代パートナーシッププロジェクト（３ＧＰＰ）は、ＩＴＵのＩＭＴ−２０００の範囲内でグローバルに適用できる次世代移動電話システム仕様を制定するためのテレコミュニケーション連合のグループ間の共同作業である。しかしながら、３ＧＰＰ仕様は、進化型の移動通信用グローバルシステム（ＧＳＭ）仕様に基づくものである。３ＧＰＰ標準化は、進化型パケットコア（ＥＰＣ）ネットワークと同義であるシステムアーキテクチャー進化（ＳＡＥ）を包含する。
【発明の概要】
【発明が解決しようとする課題】
【０００４】
３ＧＰＰ２システムのＨＲＰＤネットワークは、例えば、データ送信速度を高めることにより高い通信性能を発揮する。３ＧＰＰシステムのＥＰＣは、インターネットプロトコル（ＩＰ）パケットサービスのための移動管理、セッション管理及びトランスポートを与える。３ＧＰＰ２のＨＲＰＤ及び３ＧＰＰのＥＰＣは、独立して機能を与えるが、３ＧＰＰ２システムのＨＲＰＤネットワーク内のユーザ装置が３ＧＰＰシステムのＥＰＣネットワークとの接続を確立できるようにするための完全な解決策はまだ存在しない。
【課題を解決するための手段】
【０００５】
本発明は、技術の現状に応じて開発されたものであり、より詳細には、現在利用可能な通信システム技術によって完全に解決されていない問題及びニーズに応じて開発されたものである。従って、本発明の実施形態は、第３世代パートナーシッププロジェクト２（３ＧＰＰ２）システムの高レートパケットデータ（ＨＲＰＤ）ネットワーク内のユーザ装置が、第３世代パートナーシッププロジェクト（３ＧＰＰ）システムの進化型パケットコア（ＥＰＣ）との接続を確立できるようにする。
【０００６】
本発明の幾つかの実施形態において、方法は、第３世代パートナーシッププロジェクト（３ＧＰＰ）の進化型パケットコア（ＥＰＣ）ネットワークとの接続を確立する必要性を検出するステップと、３ＧＰＰ  ＥＰＣネットワークに対応するアクセスポイント名（ＡＰＮ）値を決定するステップと、ＡＰＮ値を接続要求メッセージに含ませるステップと、３ＧＰＰ  ＥＰＣネットワークとの接続を確立するために高レートパケットデータ（ＨＲＰＤ）ネットワークへ接続要求を通信するステップとを備えている。
【０００７】
ある実施形態において、前記検出し、決定し、含ませ及び通信するステップは、ネットワークエントリー手順に対応する。ある実施形態において、前記接続を確立する必要性を検出するステップは、選択された基準に基づく。ある実施形態において、前記基準は、ブロードキャストメッセージにおけるオペレータＩＤを含む。他の実施形態において、前記基準は、ＨＲＰＤネットワーク及び／又は３ＧＰＰ  ＥＰＣネットワークの容量の確認を含む。
【０００８】
幾つかの実施形態において、前記通信するステップは、ＨＲＰＤネットワークの高レートパケットデータサービングゲートウェイ（ＨＳＧＷ）へ接続要求メッセージを通信することを含む。ＨＳＧＷは、プロキシーバインディングアップデート（ＰＢＵ）メッセージを送信する適切なＰＤＮゲートウェイを決定するためのプロキシーモバイルＩＰｖ６（ＰＭＩＰ６）モバイルアクセスゲートウェイ（ＭＡＧ）ファンクションを含む。幾つかの実施形態では、確立される接続は、ローカル移動アンカー（ＬＭＡ）ファンクションを有し且つ３ＧＰＰ  ＥＰＣネットワークに対応するＰＤＮゲートウェイに対応する。ある実施形態において、接続は、ジェネリックルーティングエンキャプスレーション（ＧＲＥ）トンネルを含む。幾つかの実施形態において、前記検出し、決定し、含ませ及び通信するステップは、ユーザ装置により遂行される。
【０００９】
本発明の幾つかの実施形態において、装置は、３ＧＰＰ  ＥＰＣネットワークとの接続を確立する必要性を検出するように構成された接続検出ユニットと、３ＧＰＰ  ＥＰＣネットワークに対応するＡＰＮ値を決定するように構成されたＡＰＮ決定ユニットと、接続要求メッセージにＡＰＮ値を含ませるように構成された接続要求発生ユニットと、３ＧＰＰ  ＥＰＣネットワークとの接続を確立するためにＨＲＰＤネットワークへ接続要求を通信するように構成されたＨＲＰＤインターフェイスユニットと、を備えている。
【００１０】
ある実施形態において、接続検出ユニット、ＡＰＮ決定ユニット、接続要求発生ユニット、及びＨＲＰＤインターフェイスユニットは、各々、ネットワークエントリー手順に基づいて動作するように構成される。ある実施形態では、接続検出ユニットは、ブロードキャストメッセージにおけるオペレータアイデンティティ、或いはＨＲＰＤネットワーク及び／又は３ＧＰＰ  ＥＰＣネットワークの容量のような選択された基準に基づいて、接続を確立する必要性を検出するように構成される。
【００１１】
幾つかの実施形態において、ＨＲＰＤインターフェイスユニットは、ＨＲＰＤネットワークのＨＳＧＷへ接続要求を通信するように構成される。ある実施形態では、ＨＳＧＷは、ＰＢＵメッセージを送信する３ＧＰＰ  ＥＰＣネットワークの適切なＰＤＮゲートウェイを決定するためにＰＭＩＰ６  ＭＡＧファンクションを含む。ある実施形態では、ＰＤＮゲートウェイは、接続の確立を容易にするように構成されたＬＭＡファンクションを含む。実施形態に基づき、接続は、ＧＲＥトンネルを含んでもよい。
【００１２】
本発明の幾つかの実施形態において、装置は、３ＧＰＰ  ＥＰＣネットワークとの接続を確立する必要性を検出するための検出手段と、３ＧＰＰ  ＥＰＣネットワークに対応するＡＰＮ値を決定するための決定手段と、接続要求にＡＰＮ値を含ませるための含有手段と、３ＧＰＰ  ＥＰＣネットワークとの接続を確立するためにＨＲＰＤネットワークへ接続要求を通信する通信手段と、を備えている。
【００１３】
本発明の幾つかの実施形態において、コンピュータ読み取り可能な媒体上にコンピュータプログラムが実施される。このコンピュータプログラムは、３ＧＰＰ  ＥＰＣネットワークとの接続を確立する必要性を検出し、３ＧＰＰ  ＥＰＣネットワークに対応するＡＰＮ値を決定し、接続要求メッセージにＡＰＮ値を含ませ、３ＧＰＰ  ＥＰＣネットワークとの接続を確立するためにＨＲＰＤネットワークへ接続要求を通信することを含むオペレーションを遂行するようにプロセッサを制御するよう構成される。
【００１４】
本発明の幾つかの実施形態において、方法は、ＡＰＮ値を含む接続要求をユーザ装置からＨＲＰＤネットワークのＨＲＰＤゲートウェイにより受信するステップと、接続要求におけるＡＰＮ値に対応するＰＤＮゲートウェイを決定するステップと、ＰＤＮゲートウェイに対応してユーザ装置と３ＧＰＰ  ＥＰＣネットワークとの間の接続を可能にするステップと、を備えている。
【００１５】
ある実施形態において、ＡＰＮ値に対応するＰＤＮゲートウェイを決定する前記ステップは、プロキシーモバイルＩＰｖ６（ＰＭＩＰ６）モバイルアクセスゲートウェイ（ＭＡＧ）ファンクションを使用することを含む。幾つかの実施形態において、接続を可能にする前記ステップは、プロキシーバインディングアップデート（ＰＢＵ）メッセージをＰＤＮゲートウェイへ送信することを含む。ある実施形態では、接続を可能にする前記ステップは、ジェネリックルーティングエンキャプスレーション（ＧＲＥ）トンネルを可能にすることを含む。
【００１６】
本発明の幾つかの実施形態において、装置は、ＨＲＰＤネットワークのＨＲＰＤゲートウェイでユーザ装置からの接続要求を受信するように構成された接続要求受信ユニットを備えている。接続要求は、ＡＰＮ値を含む。又、この装置は、接続要求におけるＡＰＮ値に対応するＰＤゲートウェイを決定するように構成されたＰＤＮゲートウェイ決定ユニットと、ＰＤＮゲートウェイに対応してユーザ装置と３ＧＰＰ  ＥＰＣネットワークとの間の接続を可能にするように構成された接続可能化ユニットも備えている。
【００１７】
ある実施形態では、ＰＤＮゲートウェイ決定ユニットは、ＰＭＩＰ６  ＭＡＧファンクションを使用するように構成される。幾つかの実施形態において、接続可能化ユニットは、ＰＤＮゲートウェイにＰＢＵメッセージを送信するように構成される。ある実施形態では、接続可能化ユニットは、ＧＲＥトンネルを可能にするように構成される。
【００１８】
本発明の幾つかの実施形態において、装置は、ＡＰＮ値を含む接続要求をユーザ装置からＨＲＰＤネットワークのネットワークノードにより受信する手段と、接続要求におけるＡＰＮ値に対応するＰＤＮゲートウェイを決定する手段と、ＰＤＮゲートウェイに対応してユーザ装置と３ＧＰＰ  ＥＰＣネットワークとの間の接続を可能にする手段と、を備えている。
【００１９】
本発明の幾つかの実施形態において、コンピュータ読み取り可能な媒体上にコンピュータプログラムが実施される。このコンピュータプログラムは、ＡＰＮ値を含む接続要求をユーザ装置からＨＲＰＤネットワークのＨＲＰＤゲートウェイにより受信し、接続要求におけるＡＰＮ値に対応するＰＤＮゲートウェイを決定し、ＰＤＮゲートウェイに対応してユーザ装置と３ＧＰＰ  ＥＰＣネットワークとの間の接続を可能にすることを含むオペレーションを遂行するようにプロセッサを制御するよう構成される。
【００２０】
本発明の幾つかの実施形態において、システムは、ユーザ装置と、ＨＳＧＷを含むＨＲＰＤネットワークと、少なくとも１つのＰＤＮゲートウェイを含む３ＧＰＰ  ＥＰＣネットワークとを備えている。ユーザ装置は、３ＧＰＰ  ＥＰＣネットワークとの接続を確立する必要性を検出し、３ＧＰＰ  ＥＰＣネットワークに対応するＡＰＮ値を決定し、接続要求にＡＰＮ値を含ませ、そしてＨＲＰＤネットワークのＨＲＰＤゲートウェイへ接続要求を通信するように構成される。ＨＲＰＤゲートウェイは、ユーザ装置から接続要求を受信し、接続要求におけるＡＰＮ値に対応する３ＧＰＰ  ＥＰＣネットワークのＰＤＮゲートウェイを決定し、そしてユーザ装置と３ＧＰＰ  ＥＰＣネットワークとの間の接続を可能にするように構成される。
【００２１】
添付図面に示された特定の実施形態を参照し、簡単に上述した本発明の実施形態を以下に詳細に説明する。添付図面は、本発明の幾つかの実施形態を示すに過ぎず、それ故、本発明の範囲を限定するものではないが、添付図面を使用することにより本発明を特に詳細に説明する。
【図面の簡単な説明】
【００２２】
【図１】本発明の一実施形態によるＨＲＤＰ／ＥＰＣ接続システムのブロック図である。
【図２】本発明の一実施形態によるユーザ装置のブロック図である。
【図３】本発明の一実施形態によるＨＲＰＤサービングゲートウェイのブロック図である。
【図４】本発明の一実施形態によるＨＲＰＤ／ＥＰＣ接続方法のフローチャートである。
【図５】本発明の一実施形態によるＨＲＰＤ／ＥＰＣ接続方法のフローチャートである。
【図６】本発明の一実施形態によるシステムのブロック図である。
【発明を実施するための形態】
【００２３】
添付図面に示して一般的に説明する本発明のコンポーネントは、種々様々な異なる構成で配置及び設計できることを容易に理解されたい。従って、添付図面に示された本発明の装置、システム及び方法の実施形態の以下の詳細な説明は、本発明の範囲を限定するものではなく、本発明の選択された実施形態を代表するものに過ぎない。
【００２４】
本明細書を通して述べる本発明の特徴、構造又は特性は、１つ以上の実施形態において適当に組み合わせることができる。例えば、本明細書を通じて「ある実施形態」、「幾つかの実施形態」又は同様の言い方をするときは、その実施形態に関連して述べる特定の特徴、構造又は特性が本発明の少なくとも１つの実施形態に含まれることを意味する。従って、本明細書を通じて「ある実施形態において」、「幾つかの実施形態において」、「他の実施形態において」、又は同様の句が現れたときには、必ずしも全てが同じグループの実施形態を指すものではなく、そこに述べる特徴、構造又は特性を、１つ以上の実施形態において適当な仕方で組み合わせることができる。
【００２５】
更に、本明細書では、データ、パケット及び／又はデータグラムという語が使用されるが、本発明の実施形態は、多数の形式のネットワークデータに適用できる。「データ」という語は、パケット、セル、フレーム、データグラム、ブリッジプロトコルデータユニットパケット、パケットデータ、及びその等効物を含む。
【００２６】
図１は、本発明によるＨＲＰＤ／ＥＰＣ接続システム１００の一実施形態のブロック図である。ここに示すシステム１００は、ユーザ装置１１０と、高レートパケットデータ（ＨＲＰＤ）ネットワーク１２０と、第３世代パートナーシッププロジェクト（３ＧＰＰ）進化型パケットコア（ＥＰＣ）ネットワーク１３０と、を備えている。システム１００の特徴は、ＨＲＰＤネットワーク１２０を経てユーザ装置１１０と３ＧＰＰ  ＥＰＣネットワーク１３０との間の接続を可能にするように協働することである。
【００２７】
ある実施形態では、ユーザ装置１１０は、３ＧＰＰ  ＥＰＣネットワーク１３０との接続を確立する必要性を検出し、そして３ＧＰＰ  ＥＰＣネットワーク１３０に対応するアクセスポイント名（ＡＰＮ）値を決定するように構成される。幾つかの実施形態では、ユーザ装置１１０は、接続要求メッセージにＡＰＮ値を含ませ、そして接続要求メッセージをＨＲＰＤネットワーク１２０に通信する。
【００２８】
幾つかの実施形態では、ＨＲＰＤネットワーク１２０は、接続要求メッセージを受信し、そして接続要求メッセージにおけるＡＰＮ値に対応する３ＧＰＰ  ＥＰＣネットワーク１３０のＰＤＮゲートウェイを決定する。ＰＤＮゲートウェイを決定すると、ＨＲＰＤは、ユーザ装置とＰＤＮゲートウェイとの間の接続を可能にするように動作する。このように、本発明は、ユーザ装置１１０がＨＲＰＤネットワーク１２０を経て３ＧＰＰ  ＥＰＣネットワーク１３０との接続を確立できるようにする。
【００２９】
当業者であれば、図１に示すシステム１００及び本明細書全体を通して与えられる内容は、３ＧＰＰ及び３ＧＰＰ２技術に基づいて実施できることが明らかであろう。それ故、当然、３ＧＰＰ及び３ＧＰＰ２の仕様を参考としてここに援用する。
【００３０】
図２は、本発明の一実施形態によるユーザ装置２００のブロック図である。ここに示すユーザ装置２００は、接続検出ユニット２１０と、ＡＰＮ決定ユニット２２０と、接続要求発生ユニット２３０と、ＨＲＰＤユニット２４０とを備えている。ユーザ装置２００のコンポーネントは、ＨＲＰＤネットワーク（図示せず）を経てユーザ装置２００と３ＧＰＰ  ＥＰＣネットワーク（図示せず）との間の接続を可能にするように協働する。幾つかの実施形態では、ユーザ装置２００は、図１のユーザ装置１１０に対応する。
【００３１】
ある実施形態では、接続検出ユニット２１０は、３ＧＰＰ  ＥＰＣネットワークとの接続を確立する必要性を検出するように構成される。幾つかの実施形態では、接続検出ユニット２１０は、オペレータのアイデンティティ又は３ＧＰＰ  ＥＰＣネットワークの容量のような選択された基準を使用して、接続を確立する必要性を検出する。幾つかの実施形態では、ＡＰＮ決定ユニット２２０は、３ＧＰＰ  ＥＰＣネットワークに対応するＡＰＮ値を決定するように構成される。
【００３２】
ある実施形態では、接続要求発生ユニット２３０は、接続要求メッセージにＡＰＮ値を含ませるように構成され、そしてＨＲＰＤインターフェイスユニット２４０は、ＨＲＰＤネットワークの高レートパケットデータサービングゲートウェイ（ＨＳＧＷ）へ接続要求メッセージを通信して、３ＧＰＰ  ＥＰＣネットワークに対応するＰＤＮゲートウェイとの接続を確立するように構成される。接続要求は、ＰＤＮ接続要求に対応する要求、又はベンダー特有ネットワークコントロールプロトコル（ＶＳＮＣＰ）コンフィギュレーション要求のような指定のプロトコルに基づくコンフィギュレーション要求を含む。幾つかの実施形態では、上述したオペレーションの幾つか又は全部がネットワークエントリー手順の一部分として遂行される。ある実施形態では、ユーザ装置２００と３ＧＰＰ  ＥＰＣネットワークとの間に得られる接続は、ジェネリックルーティングエンキャプスレーション（ＧＲＥ）トンネルのようなトンネル接続を含む。
【００３３】
図３は、本発明の一実施形態によるＨＲＰＤサービングゲートウェイ３００のブロック図である。ここに示すＨＲＰＤサービングゲートウェイ３００は、接続要求受信ユニット３１０と、ＰＤＮゲートウェイ決定ユニット３２０と、ＨＲＰＤ／ＰＤＮ接続可能化ユニット３３０とを備えている。ＨＲＰＤサービングゲートウェイ３００のコンポーネントは、ユーザ装置（図示せず）と３ＧＰＰ  ＥＰＣネットワーク（図示せず）との間の接続を可能にするように動作する。幾つかの実施形態では、ＨＲＰＤサービングゲートウェイ３００は、図１のＨＲＰＤネットワーク１２０に対応する。
【００３４】
幾つかの実施形態では、接続要求受信ユニット３１０は、ユーザ装置から接続要求を受信するように構成される。接続要求は、３ＧＰＰ  ＥＰＣネットワークに対応するＡＰＮを含む。ＰＤＮゲートウェイ決定ユニット３２０は、接続要求におけるＡＰＮ値に対応するＰＤＮゲートウェイを決定するように構成される。幾つかの実施形態では、ＰＤＮゲートウェイ決定ユニット３２０は、プロキシーモバイルＩＰｖ６（ＰＭＩＰ６）モバイルアクセスゲートウェイ（ＭＡＧ）ファンクションを遂行して、適切なＰＤＮゲートウェイ（又はローカル移動アンカーファンクション）を決定し、プロキシーバインディング更新メッセージを送信するように構成される。ある実施形態では、ＨＲＰＤ／ＰＤＮ接続可能化ユニット３３０は、ユーザ装置とＰＤＮゲートウェイとの間の接続を可能にするように構成される。
【００３５】
ある実施形態では、３ＧＰＰ  ＥＰＣネットワーク１３０は、ＡＰＮ情報を使用して、接続を確立すべきＰＤＮゲートウェイを決定するモバイルマネージメントエンティティ（ＭＭＥ）及び／又はサービングゲートウェイ（Ｓ−ＧＷ）を備え、そしてＡＰＮ情報に基づいて、ＩＰｖ６又はＧＴＰ技術により、適切なＰＤＮゲートウェイへの接続／ベアラ／トンネルの確立を容易にする。従って、ＨＲＰＤゲートウェイのコンポーネントは、ユーザ装置と３ＧＰＰ  ＥＰＣネットワークとの間の接続を可能にするように構成できる。
【００３６】
ある実施形態では、ＰＤＮゲートウェイは、複数のＰＤＮ（即ち、３ＧＰＰ  ＥＰＣネットワーク／進化型ユニバーサル地上無線アクセスネットワーク（Ｅ−ＵＴＲＡＮ））との接続を与えるように構成される。このような実施形態では、ユーザ装置が複数のＰＤＮへの接続を要求する場合に、ユーザ装置は、個別のＰＤＮ接続要求メッセージにおける各ＰＤＮに対してＡＰＮ値を指示し、そして各ＰＤＮに対してＧＲＥキーを使用する個別のＧＲＥトンネルがＨＳＧＷとＰＤＮゲートウェイとの間に確立される。幾つかの実施形態では、ユーザ装置は、同じＰＤＮにサービスする異なるＰＤＮゲートウェイへの接続を要求する。このような実施形態では、ＨＳＧＷは、個別のトランザクションとしてＡＰＮをもつＰＢＵを送信する。
【００３７】
本明細書に述べる多くの機能的特徴は、それらの実施独立性を強調するためにユニットとして表現されることに注意されたい。例えば、ユニットは、カスタムＶＬＳＩ回路又はゲートアレイを含むハードウェア回路、或いは論理チップ、トランジスタ又は他の個別コンポーネントのような既製の半導体として実施することができる。又、ユニットは、現場でプログラム可能なゲートアレイ、プログラム可能なアレイロジック、プログラム可能なロジック装置、等のプログラム可能なハードウェア装置で実施することもできる。
【００３８】
又、ユニットは、種々の形式のプロセッサにより実行するためにソフトウェアで一部分実施されてもよい。実行可能なコードの識別されたユニットは、例えば、オブジェクト、手順又はファンクションとして編成されるコンピュータインストラクションの１つ以上の物理的又は論理的ブロックで構成される。それでも、識別されたユニットの実行可能なものを物理的に一緒に配置する必要はなく、異種のインストラクションを異なる位置に記憶して、論理的に一緒に接合されたときに、ユニットを構成し、ユニットとして記述された目的を果たすようにしてもよい。
【００３９】
実際に、実行可能なコードのユニットは、単一のインストラクションでも、多数のインストラクションでもよく、そして多数の異なるコードセグメントにわたって配布されてもよいし、異なるプログラム間に配布されてもよいし、多数のメモリ装置にわたって配布されてもよい。同様に、動作データは、ここでは、ユニット内で識別され示されてもよく、又、適当な形態で実施されて、適当な形式のデータ構造内で編成されてもよい。動作データは、単一のデータセットとして収集されてもよく、又は異なる記憶装置を含めて異なる位置にわたって配布されてもよく、そして少なくとも一部は、単にシステム又はネットワーク上の電子信号として存在してもよい。
【００４０】
図４は、本発明によるＨＲＰＤ／ＥＰＣ接続方法４００のフローチャートである。この方法４００は、３ＧＰＰ  ＥＰＣネットワークとの接続を確立する必要性を検出するステップ４１０と、３ＧＰＰ  ＥＰＣネットワークに対応するＡＰＮを決定するステップ４２０と、接続要求にＡＰＮを含ませるステップ４３０と、接続要求をＨＳＧＷへ通信するステップ４４０とを備えている。ある実施形態では、方法４００のオペレーションは、図１のユーザ装置１１０又は図２のユーザ装置２００により遂行されるオペレーションに対応する。幾つかの実施形態では、方法４００のオペレーションは、ＨＲＰＤネットワークを経てユーザ装置と３ＧＰＰ  ＥＰＣネットワークとの間の接続を可能にする。
【００４１】
幾つかの実施形態において、３ＧＰＰ  ＥＰＣネットワークとの接続を確立する必要性を検出するステップ４１０は、種々のシナリオを含む。例えば、検出ステップ４１０は、ユーザ装置の内部のコマンド又は状態から生じるか、或いはユーザ装置の外部のコマンド又は状態から生じる。従って、当業者であれば、検出ステップ４１０をトリガーするシナリオは、多数あることが明らかであろう。
【００４２】
ある実施形態では、３ＧＰＰ  ＥＰＣネットワークに対応するＡＰＮを決定するステップ４２０は、ユーザ装置がデータのレポジトリーにアクセスして、検出必要性を１つ以上の３ＧＰＰ  ＥＰＣネットワークに相関させることを含む。このレポジトリーは、ユーザ装置の内部又は外部に記憶され、そしてデータのアクセスは、内部及び／又は外部オペレーションを含む。例えば、ユーザ装置は、情報のためのローカルデータ記憶装置にアクセスするか、又は別のネットワーク装置と通信して情報へのアクセスを得ることができる。幾つかの実施形態では、決定ステップ４２０は、複数の考えられる３ＧＰＰ  ＥＰＣネットワークの中で適切な３ＧＰＰ  ＥＰＣネットワークを選択することも含む。
【００４３】
幾つかの実施形態では、接続要求にＡＰＮを含ませるステップ４３０は、ユーザ装置が、３ＧＰＰ  ＥＰＣネットワークのＡＰＮを含む３ＧＰＰ２仕様のＰＤＮ接続要求メッセージを準備することを含む。幾つかの実施形態では、接続要求をＨＳＧＷへ通信するステップ４４０は、ユーザ装置が、ＨＲＰＤインターフェイスを経て、ユーザ装置が接続されるＨＲＰＤネットワークのゲートウェイへ送信を行うことを含む。本明細書のどこかに述べるように、ＨＳＧＷは、ＰＤＮ接続を使用して、ユーザ装置と３ＧＰＰ  ＥＰＣネットワークとの間の接続を可能にする。従って、この方法のオペレーションは、ＨＲＰＤネットワークを経てユーザ装置と３ＧＰＰ  ＥＰＣネットワークとの間の接続を可能にするように遂行される。
【００４４】
図５は、本発明によるＨＲＰＤ／ＥＰＣ接続方法５００の一実施形態のフローチャートである。ここに示した方法５００は、ＡＰＮとの接続要求を受信するステップ５１０と、ＡＰＮに対応するＰＤＮゲートウェイを決定するステップ５２０と、ユーザ装置と３ＧＰＰ  ＥＰＣネットワークとの間の接続を可能にするステップ５３０とを含む。幾つかの実施形態では、この方法５００は、図１のＨＲＰＤネットワーク１２０又は図３のＨＲＰＤゲートウェイ３００により遂行されるオペレーションに対応する。ある実施形態では、この方法５００は、ＨＲＰＤネットワークを経てユーザ装置と３ＧＰＰ  ＥＰＣネットワークとの間の接続を可能にする。
【００４５】
ある実施形態では、ＡＰＮとの接続要求を受信するステップ５１０は、ＨＳＧＷがユーザ装置から接続要求を受信することを含む。幾つかの実施形態では、ＨＳＧＷは、接続要求を分析して、ＡＰＮを識別する。ある実施形態では、ＡＰＮに対応するＰＤＮゲートウェイを決定するステップ５２０は、ＨＳＧＷがＨＳＧＷに対して内部又は外部に記憶されたデータにアクセスすることを含む。幾つかの実施形態では、決定ステップ５２０は、ＨＳＧＷが、それに対応するＨＲＰＤネットワーク又は別のネットワークのネットワークノードに通信することを含む。
【００４６】
ユーザ装置と３ＧＰＰ  ＥＰＣネットワークとの間の接続を可能にするステップ５３０は、３ＧＰＰ  ＥＰＣネットワークの１つ以上のネットワークノードと通信することを含む。この可能にするステップ５３０は、３ＧＰＰ  ＥＰＣのＰＤＮゲートウェイと通信することを含むと共に、ＡＰＮ、及び／又はそれに対応するデータを、３ＧＰＰ  ＥＰＣのＭＭＥ又はＳ−ＧＷへ通信することも含む。当業者であれば、可能にされる接続は、ベアラ接続又はトンネル接続、例えば、ＧＲＥトンネルを含むことが明らかであろう。
【００４７】
図６は、本発明の一実施形態によるシステム６００のブロック図である。ここに示したシステムは、Ｅ−ＵＴＲＡＮ  ＥＰＣネットワーク及びｅＨＲＰＤを備え、これは、ある実施形態では、図１のＨＲＰＤネットワーク１２０及び３ＧＰＰ  ＥＰＣネットワーク１３０に対応する。同様に、ここに示したＨＳＧＷ、ＰＤＮゲートウェイ、サービングゲートウェイ、ＭＭＥは、本明細書全体にわたって説明された１つ以上の特徴又はオペレーションに対応する。
【００４８】
当業者であれば、上述した本発明は、異なる順序のステップでも実施でき、及び／又はここに開示したものとは異なる構成のハードウェア要素でも実施できることが容易に理解されよう。それ故、本発明は、これらの好ましい実施形態に基づいて説明したが、当業者であれば、本発明の精神及び範囲から逸脱せずに、幾つかの変更、修正、及び代替構造が明らかとなろう。
【００４９】
コンピュータ読み取り可能な媒体は、伝送線、コンパクトディスク、デジタルビデオディスク、磁気テープ、ベルヌーイ装置、磁気ディスク、ホログラフディスク又はテープ、パンチカード、フラッシュメモリ、磁気抵抗メモリ、集積回路、或いは他のデジタル処理装置、メモリ装置によって少なくとも一部分実施することができる。
【００５０】
本明細書全体にわたり特徴、効果又は同様のことを指す言葉は、本発明で実現される全ての特徴及び効果が本発明の１つの実施形態内になければならないことを意味するものではない。むしろ、特徴及び効果を指す言葉は、ある実施形態について述べた特定の特徴、効果又は特性が、本発明の少なくとも１つの実施形態に包含されることを意味するものと理解されたい。従って、本明細書全体にわたる特徴及び効果並びに同様の言葉の検討は、同じ実施形態を指すが、必ずしもそうでなくてもよい。
【００５１】
更に、本発明のここに述べる特徴、効果及び特性は、１つ以上の実施形態において適当に組み合わせることができる。当業者であれば、特定の実施形態の１つ以上の特定の特徴又は効果がなくても本発明を実施できることが明らかであろう。他の点では、本発明の全ての実施形態に存在しないような付加的な特徴及び効果が、ある実施形態において明らかとなろう。
【符号の説明】
【００５２】
１１０：ユーザ装置
１２０：ＨＲＰＤネットワーク
１３０：３ＧＰＰ  ＥＰＣネットワーク
２００：ユーザ装置
２１０：接続検出ユニット
２２０：ＡＰＮ決定ユニット
２３０：接続要求発生ユニット
２４０：ＨＲＰＤインターフェイスユニット
３００：ＨＲＰＤサービングゲートウェイ
３１０：接続要求受信ユニット
３２０：ＰＤＮゲートウェイ決定ユニット
３３０：ＨＲＰＤ／ＥＰＣ接続可能化ユニット
【図１】
2011523534.tif 000003
【図２】
2011523534.tif 000004
【図３】
2011523534.tif 000005
【図４】
2011523534.tif 000006
【図５】
2011523534.tif 000007
【図６】
2011523534.tif 000008
【国際調査報告】
2011523534.tif 000009
2011523534.tif 000010
2011523534.tif 000011